(57)【要約】【課題】利便性を向上させたＩＣカード、およびＩＣカードの制御方法を提供することである。【解決手段】実施形態のＩＣカードは、通信部と、記憶部と、取得部と、処理部とを持つ。通信部は、端末装置と通信する。記憶部は、情報を記憶する。取得部は、利用者の生体情報を取得する。処理部は、通信部により端末装置から受信された識別情報に基づく第１の認証と、取得部により取得された生体情報と記憶部に記憶された生体認証用情報とを照合することによる第２の認証のいずれかを実行可能であり、認証結果に応じて、通信部により端末装置から受信されたコマンドに応じた処理を行って端末装置に応答を返す。処理部は、記憶部に生体認証用情報が記憶されていない状態で第１の認証が成功したとき、取得部により利用者の生体情報が取得された場合、取得部により取得された生体情報に基づく情報を、生体認証用情報として記憶部に記憶させる。【選択図】図２
2018151799.tif 000002
【特許請求の範囲】
【請求項１】
端末装置と通信する通信部と、
情報を記憶する記憶部と、
利用者の生体情報を取得する取得部と、
前記通信部により前記端末装置から受信された識別情報に基づく第１の認証と、前記取得部により取得された生体情報と前記記憶部に記憶された生体認証用情報とを照合することによる第２の認証のいずれかを実行可能であり、認証結果に応じて、前記通信部により前記端末装置から受信されたコマンドに応じた処理を行って前記端末装置に応答を返す処理部と、を備え、
前記処理部は、前記記憶部に前記生体認証用情報が記憶されていない状態で前記第１の認証が成功したとき、前記取得部により前記利用者の生体情報が取得された場合、前記取得部により取得された生体情報に基づく情報を、前記生体認証用情報として前記記憶部に記憶させる、
ＩＣカード。
【請求項２】
前記処理部は、前記取得部により取得された生体情報に基づく情報を、前記生体認証用情報として前記記憶部に記憶させた場合、前記通信部に、前記端末装置に接続された上位装置宛のメッセージに前記生体認証用情報の登録が行われたことを示す情報を含めて送信させる、
請求項１記載のＩＣカード。
【請求項３】
端末装置と通信する通信部と、情報を記憶する記憶部と、利用者の生体情報を取得する取得部と、を備えるＩＣカードの処理部が、
前記通信部により前記端末装置から受信された識別情報に基づく第１の認証と、前記取得部により取得された生体情報と前記記憶部に記憶された生体認証用情報とを照合することによる第２の認証のいずれかを実行し、
認証結果に応じて、前記通信部により前記端末装置から受信されたコマンドに応じた処理を行って前記端末装置に応答を返し、
前記記憶部に前記生体認証用情報が記憶されていない状態で前記第１の認証が成功したとき、前記取得部により前記利用者の生体情報が取得された場合、前記取得部により取得された生体情報に基づく情報を、前記生体認証用情報として前記記憶部に記憶させる、
ＩＣカードの制御方法。
【請求項４】
利用者の生体情報を取得する取得部と、
端末装置と通信する通信部、情報を記憶する記憶部、および、前記通信部により前記端末装置から受信された識別情報に基づく第１の認証と、前記取得部により取得された生体情報と前記記憶部に記憶された生体認証用情報とを照合することによる第２の認証のいずれかを実行可能であり、認証結果に応じて、前記通信部により前記端末装置から受信されたコマンドに応じた処理を行って前記端末装置に応答を返す処理部を有するＩＣモジュールであって、前記処理部は、前記記憶部に前記生体認証用情報が記憶されていない状態で前記第１の認証が成功したとき、前記取得部により前記利用者の生体情報が取得された場合、前記取得部により取得された生体情報に基づく情報を、前記生体認証用情報として前記記憶部に記憶させるＩＣモジュールと、
前記取得部および前記ＩＣモジュールを埋設したカード基材と、
を備えるＩＣカード。
【請求項５】
前記処理部のうち前記第２の認証を行うハードウェアを前記ＩＣモジュールの外部に備え、
前記カード基材は、前記取得部、前記ＩＣモジュール、および前記第２の認証を行うハードウェアを埋設している、
請求項４記載のＩＣカード。
【発明の詳細な説明】
【技術分野】
【０００１】
本発明の実施形態は、ＩＣカード、およびＩＣカードの制御方法に関する。
【背景技術】
【０００２】
生体情報をＩＣカードの本人認証に使用する技術が実用化されている。例えば、銀行のＡＴＭ（Automatic Teller Machine）には、指紋センサなどが設けられたものがある。本人認証を行うには、その利用者の生体情報に基づく認証用データをどこかに登録しておく必要がある。従来、考えられている仕組みでは、認証用データの登録のために何らかの施設（銀行の窓口など）を訪れる必要があり、この仕組みは利便性が高いものではなかった。
【先行技術文献】
【特許文献】
【０００３】
【特許文献１】特開２００９−１６９８０９号公報
【発明の概要】
【発明が解決しようとする課題】
【０００４】
本発明が解決しようとする課題は、利便性を向上させたＩＣカード、およびＩＣカードの制御方法を提供することである。
【課題を解決するための手段】
【０００５】
実施形態のＩＣカードは、通信部と、記憶部と、取得部と、処理部とを持つ。通信部は、端末装置と通信する。記憶部は、情報を記憶する。取得部は、利用者の生体情報を取得する。処理部は、通信部により端末装置から受信された識別情報に基づく第１の認証と、取得部により取得された生体情報と記憶部に記憶された生体認証用情報とを照合することによる第２の認証のいずれかを実行可能であり、認証結果に応じて、通信部により端末装置から受信されたコマンドに応じた処理を行って端末装置に応答を返す。処理部は、記憶部に生体認証用情報が記憶されていない状態で第１の認証が成功したとき、取得部により利用者の生体情報が取得された場合、取得部により取得された生体情報に基づく情報を、生体認証用情報として記憶部に記憶させる。
【図面の簡単な説明】
【０００６】
【図１】ＩＣカード１の概略構成図。
【図２】ＩＣカード１のハードウェア構成図。
【図３】ＩＣカード１の機能構成図。
【図４】生体認証用情報４４の自動登録が行われる様子を模式的に示す図。
【図５】ＩＣカード１において実行される処理の流れの概略を示すフローチャート。
【図６】端末装置１００、ＩＣカード１、および利用者によって実行される処理の一例を示すシーケンス図。
【発明を実施するための形態】
【０００７】
以下、実施形態のＩＣカード、およびＩＣカードの制御方法を、図面を参照して説明する。なお、以下の説明では、実施形態のＩＣカードは接触型のＩＣカードであるものとして説明するが、非接触型のＩＣカードであっても構わない。
【０００８】
図１は、ＩＣカード１の概略構成図である。ＩＣカード１は、例えば、プラスチックのカード基材ＰＴ（カード本体の一例）に、ＩＣモジュール１０を実装して形成されている。すなわち、ＩＣカード１は、ＩＣモジュール１０と、指紋センサ５０と、照合プロセッサ（図では照合Ｐｒ）６０と、これらが埋め込まれたカード基材ＰＴとを備える。また、ＩＣカード１は、コンタクト部１５を介して外部の端末装置１００と通信可能である。照合プロセッサ６０は、指紋センサ５０により取得された利用者の指紋情報を、ＩＣモジュール１０内に保持された生体認証用情報と比較することで、利用者の認証を行い、認証結果をＩＣモジュール１０に出力する。指紋センサ５０は、生体情報を取得する「取得部」の一例であり、指紋情報は「生体情報」の一例である。生体情報は、指紋情報ではなく、静脈パターン情報、虹彩情報、声紋情報、ＤＮＡ情報などであってもよい。なお、照合プロセッサ６０がＩＣモジュール１０の外部に設けられているのは、あくまで一例であり、照合プロセッサ６０に相当する機能をＩＣモジュール１０が備えてもよい。
【０００９】
ＩＣカード１は、例えば、端末装置１００により送信されたコマンド（処理要求）を、コンタクト部１５を介して受信し、受信したコマンドに応じた処理（コマンド処理）を実行する。そして、ＩＣカード１は、コマンド処理の実行結果であるレスポンス（処理応答）を端末装置１００にコンタクト部１５を介して送信する。端末装置１００は、ＩＣカード１と通信する装置であり、例えば、リーダ／ライタ装置を含む装置である。
【００１０】
ＩＣモジュール１０は、コンタクト部１５と、ＩＣチップ２０とを備える。ＩＣモジュール１０は、例えば、テープ上にＩＣモジュール１０が複数配置されたＣＯＴ（Chip On Tape）などの形態で取引されるモジュールである。なお、テープから個片抜きして切り離した単体のＩＣモジュール１０をＣＯＴという場合がある。
【００１１】
コンタクト部１５は、ＩＣカード１が動作するために必要な各種信号の端子を有している。ここで、各種信号の端子は、電源電圧、クロック信号、リセット信号などを端末装置１００から供給される端子、及び、端末装置１００と通信するためのシリアルデ―タ入出力端子（ＳＩＯ端子）を含む。
【００１２】
ＩＣチップ２０は、例えば、１チップのマイクロプロセッサなどのＬＳＩ（Large Scale Integration）である。
【００１３】
図２は、ＩＣカード１のハードウェア構成図である。図２に示すように、ＩＣカード１は、コンタクト部１５と、ＩＣチップ２０とを備えたＩＣモジュール１０を備えている。そして、ＩＣチップ２０は、ＵＡＲＴ（Universal Asynchronous Receiver Transmitter）２４と、ＣＰＵ２５と、ＲＯＭ（Read Only Memory）２６と、ＲＡＭ（Random Access Memory）２７と、ＥＥＰＲＯＭ（Electrically Erasable Programmable ROM）２８とを備える。これらの構成要素は、内部バスＢＳ１を介して接続されている。
【００１４】
ＵＡＲＴ２４は、上述したＳＩＯ端子を介して、端末装置１００とシリアルデータ通信を行う。ＵＡＲＴ２４は、ＳＩＯ端子を介して受信したシリアルデータ信号をパラレル変換したデータ（例えば、１バイトのデータ）を内部バスＢＳ１に出力する。また、ＵＡＲＴ２４は、内部バスＢＳ１を介して取得したデータをシリアル変換して、ＳＩＯ端子を介して端末装置１００に出力する。ＵＡＲＴ２４は、例えば、ＳＩＯ端子を介してコマンドを端末装置１００から受信する。また、ＵＡＲＴ２４は、ＳＩＯ端子を介してレスポンスを端末装置１００に送信する。ＵＡＲＴ２４は、「通信部」の一例である。
【００１５】
ＣＰＵ２５は、ＲＯＭ２６又はＥＥＰＲＯＭ２８に記憶されているプログラムを実行して、ＩＣカード１の各種処理を行う。ＣＰＵ２５は、例えば、コンタクト部１５を介して、ＵＡＲＴ２４が受信したコマンドに応じたコマンド処理を実行する。
【００１６】
ＲＯＭ２６は、例えば、マスクＲＯＭなどの不揮発性メモリである。ＲＯＭ２６は、ＩＣカード１の各種処理を実行するためのプログラム、及びコマンドテーブルなどのデータを記憶する。
ＲＡＭ２７は、例えば、ＳＲＡＭ（Static RAM）などの揮発性メモリである。ＲＡＭ２７は、ＩＣカード１の各種処理を行う際に利用されるデータを一時記憶する。
【００１７】
ＥＥＰＲＯＭ２８は、例えば、電気的に書き換え可能な不揮発性メモリである。ＥＥＰＲＯＭ２８は、ＩＣカード１が利用する各種データを記憶する。ＥＥＰＲＯＭ２８は、例えば、ＩＣカード１を利用した各種サービス（アプリケーション）に使用される情報を記憶する。
【００１８】
更に、内部バスＢＳ１には、照合プロセッサ６０が接続されている。照合プロセッサ６０は、例えば、ＣＰＵとプログラムメモリとを含む。照合プロセッサ６０は、専用線などで指紋センサ５０と接続され、指紋センサ５０が指紋情報を取得可能な状態（通電状態）であるか否かを検知することができる。指紋センサ５０は、静電容量型、感熱型、光学型などのうちいずれかの方式で利用者の指紋情報を取得する。
【００１９】
図３は、ＩＣカード１の機能構成図である。ＩＣカード１は、例えば、処理部３０と、記憶部４０とを備える。処理部３０は、例えば、第１認証部３２と、第２認証部３４と、コマンド処理部３６と、登録処理部３８とを備える。第１認証部３２、コマンド処理部３６、および登録処理部３８は、例えば、ＣＰＵ２５がプログラム４６を実行することで実現される。また、第２認証部３４は、例えば、照合プロセッサ６０がプログラム４６を実行することで実現される。記憶部４０は、例えば、ＥＥＰＲＯＭ２８や照合プロセッサに付随するプログラムメモリにより実現される。記憶部４０には、ＰＩＮ（Personal Identification Number）情報４２と、生体認証用情報４４と、プログラム４６とが記憶される。ＰＩＮ情報４２は、利用者によって設定された暗証番号（識別情報）である。生体認証用情報４４は、指紋情報との照合対象となる情報であり、指紋の形状パターンを幾何情報にした情報、何らかの特徴量に変換した情報、或いはこれらの組み合わせなどである。
【００２０】
第１認証部３２は、利用者によって端末装置１００に対して入力され、端末装置１００からＵＡＲＴ２４により受信されたＰＩＮ情報と、記憶部４０により記憶されたＰＩＮ情報４２とを比較し、一致した場合に、利用者の認証が成功したと判定する。利用者の認証が成功すると、第１認証部３２は、記憶部４０におけるセキュアな領域へのアクセスを許可し、所定の処理を実行可能な状態とする。
【００２１】
第２認証部３４は、指紋センサ５０によって取得された指紋情報と、記憶部４０により記憶された生体認証用情報４４とを比較し、これらが合致した場合に、利用者の認証が成功したと判定する。「合致する」とは、例えば、情報の一致程度を示すスコアが閾値以上であることを意味する。利用者の認証が成功すると、第２認証部３４は、記憶部４０におけるセキュアな領域へのアクセスを許可し、所定の処理を実行可能な状態とする。
【００２２】
コマンド処理部３６は、端末装置１００により送信されたコマンド（処理要求）に応じて、各種コマンドの処理（コマンド処理）を実行する。また、コマンド処理部３６は、コマンド処理の結果であるレスポンスを、ＵＡＲＴ２４を介して端末装置１００に送信する。コマンド処理部３６は、認証の成功を条件とするコマンド処理に関しては、第１認証部３２または第２認証部３４からの認証成功通知がなされた場合に、処理を先に進める。
【００２３】
登録処理部３８は、記憶部４０に生体認証用情報４４が記憶されていない状態で第１認証部３２による認証が成功したときに、指紋センサ５０により利用者の指紋情報が取得された場合、指紋センサ５０により取得された指紋情報に基づく情報を、生体認証用情報４４として記憶部４０に記憶させる。指紋情報に基づく情報とは、前述したように、指紋の形状パターンを幾何情報にした情報、何らかの特徴量に変換した情報、或いはこれらの組み合わせなどである。この際に、登録処理部３８は、第２認証部３４に情報の変換処理を依頼してもよい。
【００２４】
また、登録処理部３８は、上記のように生体認証用情報４４を記憶部４０に記憶させた場合、ＵＡＲＴ２４を介して、端末装置１００に接続された上位装置宛のメッセージに、指紋登録を行った旨の情報を含めて送信する。上位装置では、受信した情報に基づいて、予め登録された利用者のアドレス宛に電子メールを送信したり、オペレータに通知して電話で利用者に報知させたりする。
【００２５】
図４は、生体認証用情報４４の自動登録が行われる様子を模式的に示す図である。端末装置１００は、ネットワークＮＷを介して上位装置２００と接続されている。利用者が指Ｆを指紋センサ５０に指を置き、生体認証用情報４４が登録されることで発信されるメッセージは、ネットワークＮＷによって上位装置２００に届けられる。上位装置２００は、例えば、ＩＣカード１の発行者により管理されるサーバ装置である。上位装置２００は、ネットワークＮＷを介して、利用者のユーザ端末３００に電子メールを送信したり、オペレータに電話をかけさせるための画面を表示したりする。端末装置１００と上位装置２００を接続するネットワークＮＷは、ＷＡＮ（Wide Area Network）やＬＡＮ（Local Area Network）を含む。また、上位装置２００とユーザ端末３００を接続するネットワークＮＷは、更に、インターネットを含んでもよい。
【００２６】
図５は、ＩＣカード１において実行される処理の流れの概略を示すフローチャートである。本フローチャートの処理は、所定のコマンドを受信したときに開始される。所定のコマンドとは、認証を要求するコマンドである。
【００２７】
まず、第２認証部３４が、指紋センサ５０によって指紋情報が取得されたか否かを判定する（ステップＳ１００）。指紋センサ５０によって指紋情報が取得された場合、第２認証部３４は、記憶部４０に生体認証用情報４４が記憶されているか否かを判定する（ステップＳ１０２）。記憶部４０に生体認証用情報４４が記憶されている場合、第２認証部３４は、指紋センサ５０によって取得された指紋情報と記憶部４０に記憶された生体認証用情報４４とが合致するか否かを判定する（ステップＳ１０４）。これらが合致する場合、第２認証部３４は、利用者の認証（本人確認）が成功したと判定し、コマンド処理部３６による所定の処理を実行可能とし（ステップＳ１０６）、本フローチャートの処理を終了する。
【００２８】
所定のコマンド処理とは、例えば、金銭の決済を含むような処理である。所定のコマンド処理は、図５のフローチャートに示す処理によって許可された後、フローチャートに示す処理とは別に、任意のタイミングで（並行して、或いは順序待ち等を行って）実行される。
【００２９】
ステップＳ１００またはＳ１０２で否定的な判定を得た場合、ステップＳ１０８に処理が進められる。ステップＳ１０４で否定的な判定を得た場合、第２認証部３４は、ＵＡＲＴ２４に、認証に失敗したことを示すメッセージを上位装置に送信させる（ステップＳ１２０）。
【００３０】
上記の判定の後、第１認証部３２は、端末装置１００からＰＩＮ情報を受信したか否かを判定する（ステップＳ１０８）。ＰＩＮ情報を受信していない場合、ステップＳ１００に処理が戻される。なお、このようなループ処理は、所定のコマンドの受信から一定時間に限定されてもよい。
【００３１】
端末装置１００からＰＩＮ情報を受信した場合、第１認証部３２は、端末装置１００から受信したＰＩＮ情報と記憶部４０に記憶されたＰＩＮ情報とが一致するか否かを判定する（ステップＳ１１０）。一致しない場合、第１認証部３２は、ＵＡＲＴ２４に、認証に失敗したことを示すメッセージを上位装置に送信させる（ステップＳ１２０）。
【００３２】
端末装置１００から受信したＰＩＮ情報と記憶部４０に記憶されたＰＩＮ情報とが一致した場合、第１認証部３２は、利用者の認証（本人確認）が成功したと判定し、コマンド処理部３６による所定のコマンド処理を許可する（ステップＳ１１２）。なお、実際には、利用者の認証が成功した旨の通知を端末装置１００に送信し、端末装置１００からオンライン認証の完了通知がなされることで、本ステップの処理が終了するようにしてよい。
【００３３】
次に、登録処理部３８が、現在時点で、或いはこのフローチャートの処理の実行が開始されてから現在までの間に、指紋センサ５０によって指紋情報が取得されたか否かを判定する（ステップＳ１１４）。指紋センサ５０によって指紋情報が取得されていない場合、本フローチャートの処理を終了する。この終了手順は、生体認証用情報４４を登録せずに専らＰＩＮ情報の入力によってＩＣカード１が使用されている場合に発生する。
【００３４】
ステップＳ１１４において指紋センサ５０によって指紋情報が取得されたと判定した場合、登録処理部３８は、記憶部４０に生体認証用情報４４が記憶されている（登録されている）か否かを判定する（ステップＳ１１６）。記憶部４０に生体認証用情報４４が記憶されている場合、本フローチャートの処理を終了する。この終了手順は、生体認証用情報４４は登録されているが、ＩＣカード１の今回の利用では、指紋認証をせずにＰＩＮ情報の入力によって認証が行われた場合に発生する。
【００３５】
ステップＳ１１６において記憶部４０に生体認証用情報４４が記憶されていると判定した場合、登録処理部３８は、指紋センサ５０により取得された指紋情報に基づく情報を、生体認証用情報４４として記憶部４０に記憶させる（登録する）（ステップＳ１１８）。そして、登録処理部３８（或いはコマンド処理部３６）は、レスポンス内の上位装置２００宛のメッセージに、生体認証用情報４４を登録した旨を示す情報を含めてＵＡＲＴ２４に送信させる（ステップＳ１２０）。このような処理によって、生体認証用情報４４の簡便な自動登録が実現される。
【００３６】
図６は、端末装置１００、ＩＣカード１、および利用者によって実行される処理の一例を示すシーケンス図である。まず、利用者はＩＣカード１の指紋センサ５０に指を置いている（ステップＳ２００）。端末装置１００が取引に関するコマンドをＩＣカード１に送信すると（ステップＳ２０２）、ＩＣカード１が取引に関するレスポンスを返す（ステップＳ２０４）。
【００３７】
端末装置１００からＩＣカードにオンライン認証の完了が通知されると（ステップＳ２０６）、ＩＣカード１は指紋センサ５０の状態（指が置かれているか否か）を確認し（ステップＳ２０８）、指が置かれていれば指紋情報を取得し（ステップＳ２１０）、指紋情報に基づく生体認証用情報４４を記憶部４０に記憶させる（ステップＳ２１２）。ＩＣカード１は、生体認証用情報４４を登録した旨のメッセージを端末装置１００に送信する（ステップＳ２１４）。
【００３８】
次に、端末装置１００が取引に関するコマンドをＩＣカード１に送信すると（ステップＳ２１６）、ＩＣカード１が取引に関するレスポンスを返す（ステップＳ２１８）。端末装置１００が取引完了を表示などによって利用者に通知することで（ステップＳ２２０）、利用者は指を離してよいことを認識する。
【００３９】
なお、図６は、端末装置１００として既存の装置を使用する場合の処理の一例を示している。端末装置１００が実施形態のＩＣカード１に対応した機能を有している場合、端末装置１００は、生体認証用情報４４を登録した旨のメッセージをＩＣカード１から受信した時点で、登録した旨の表示などを行ってもよい。
【００４０】
以上説明した少なくともひとつの実施形態によれば、記憶部（４０）に生体認証用情報（４４）が記憶されていない状態で第１の認証が成功したとき、取得部（５０）により利用者の生体情報が取得された場合、得された生体情報に基づく情報を、生体認証用情報として記憶部に記憶させることにより、生体認証用情報の簡便な自動登録が実現され、利便性が向上する。
【００４１】
上記実施形態は、以下のように表現することができる。
端末装置と通信する通信部と、
情報を記憶する記憶部と、
利用者の生体情報を取得する取得部と、
前記記憶部に記憶されたプログラムを実行するハードウェアプロセッサと、を備え、
前記記憶部には、前記ハードウェアプロセッサに、
前記通信部により前記端末装置から受信された識別情報に基づく第１の認証と、前記取得部により取得された生体情報と前記記憶部に記憶された生体認証用情報とを照合することによる第２の認証のいずれかを実行し、認証結果に応じて、前記通信部により前記端末装置から受信されたコマンドに応じた処理を行って前記端末装置に応答を返す処理と、
前記記憶部に前記生体認証用情報が記憶されていない状態で前記第１の認証が成功したとき、前記取得部により前記利用者の生体情報が取得された場合、前記取得部により取得された生体情報に基づく情報を、前記生体認証用情報として前記記憶部に記憶させる処理と、
を実行させる前記プログラムが格納されている、
ＩＣカード。
【００４２】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００４３】
１…ＩＣカード、１０…ＩＣモジュール、１５…コンタクト部、２０…ＩＣチップ、２４…ＵＡＲＴ、２５…ＣＰＵ、２６…ＲＯＭ、２７…ＲＡＭ、２８…ＥＥＰＲＯＭ、３０…処理部、３２…第１認証部、３４…第２認証部、３６…コマンド処理部、３８…登録処理部、４０…記憶部、４２…ＰＩＮ情報、４４…生体認証用情報、４６…プログラム、５０…指紋センサ、６０…照合プロセッサ、１００…端末装置、２００…上位装置、ＢＳ１…内部バス
【図１】
2018151799.tif 000003
【図２】
2018151799.tif 000004
【図３】
2018151799.tif 000005
【図４】
2018151799.tif 000006
【図５】
2018151799.tif 000007
【図６】
2018151799.tif 000008